(57)【特許請求の範囲】
【請求項１】
ＧＯＰ（Group Of Pictures）構造による動画像符号化方式により符号化された動画像信号を復号化する復号化手段と、
前記復号化手段が復号化した前記動画像信号が属していたＧＯＰに関する情報を出力するＧＯＰ情報出力手段と、
前記復号化手段が復号化した前記動画像信号による画素ごとにフィールド間及びフレーム間のいずれかの動きを検出して、静止判定側から動画判定側にわたる動き検出信号を出力する動き検出手段と、
静画用補間画素を生成する静画用補間画素生成手段と、
動画用補間画素を生成する動画用補間画素生成手段と、
前記動き検出手段が出力した前記動き検出信号が静止判定側に移行するに従い前記静画用補間画素の比率を多くし、前記動き検出手段が出力した前記動き検出信号が動画判定側に移行するに従い前記動画用補間画素の比率を多くして、前記静画用補間画素生成手段が生成した前記静画用補間画素と、前記動画用補間画素生成手段が生成した前記動画用補間画素とを混合する補間画素混合生成手段と、
を備え、
前記動き検出手段は、前記ＧＯＰ情報出力手段が出力した前記動画像信号が属していたＧＯＰに関する情報に基づいて、異なるＧＯＰに属していた前記動画像信号による画素のフィールド間及びフレーム間のいずれかの動きを検出するときは、同じＧＯＰに属していた前記動画像信号による画素のフィールド間及びフレーム間のいずれかの動きを検出するときに比べて、より静画寄りに判定する順次走査変換装置。
【請求項２】
前記動き検出手段は、隣接するＧＯＰに属していた前記動画像信号によるフィールド間及びフレーム間のいずれかの量子化スケール値の差が大きいほど、より静画寄りに判定する、請求項１に記載の順次走査変換装置。
【請求項３】
前記動き検出手段は、隣接するＧＯＰに属していた前記動画像信号によるＩピクチャ（intra  coded  picture）間における量子化スケール値の差が大きいほど、より静画寄りに判定する、請求項２に記載の順次走査変換装置。
【請求項４】
前記動き検出手段は、前記ＧＯＰ情報出力手段が出力した前記動画像信号が属していたＧＯＰに関する情報に基づいて、異なるＧＯＰに属していた前記動画像信号による画素のフィールド間及びフレーム間のいずれかの動きを検出するときは、同じＧＯＰに属していた前記動画像信号による画素のフィールド間及びフレーム間のいずれかの動きを検出するときに比べて、画素のフィールド間及びフレーム間のいずれかの動きに対して前記動き検出信号を静止判定側から動画判定側にする閾値を大きくする、請求項１〜３のいずれか１項に記載の順次走査変換装置。
【請求項５】
前記動き検出手段は、前記ＧＯＰ情報出力手段が出力した前記動画像信号が属していたＧＯＰに関する情報に基づいて、異なるＧＯＰに属していた前記動画像信号による画素のフィールド間及びフレーム間のいずれかの動きを検出するときは、同じＧＯＰに属していた前記動画像信号による画素のフィールド間及びフレーム間のいずれかの動きを検出するときに比べて、画素のフィールド間及びフレーム間のいずれかの動きに対して前記動き検出信号を静止判定側から動画判定側にする勾配を小さくする、請求項１〜４のいずれか１項に記載の順次走査変換装置。
【請求項６】
前記静画用補間画像生成手段は、前記動画像信号の前フィールド信号及び後フィールド信号のいずれかから静画用補間画素を生成し、
前記動画用補間画像生成手段は、前記動画像信号の現フィールド信号、前フィールド信号、及び後フィールド信号のいずれかから動画用補間画素を生成する、請求項１〜５のいずれか１項に記載の順次走査変換装置。
【請求項７】
前記復号化手段が復号化した前記動画像信号によるフィールド間及びフレーム間のいずれかの相関度を判定し、前記相関度の判定結果に基づいて前記動画像信号がプルダウン信号であるか否かを検出するプルダウン信号検出手段をさらに備え、
前記プルダウン信号検出手段は、前記ＧＯＰ情報出力手段が出力した前記動画像信号が属していたＧＯＰに関する情報に基づいて、異なるＧＯＰに属していた前記動画像信号によるフィールド間及びフレーム間のいずれか相関度を判定するときは、同じＧＯＰに属していた前記動画像信号によるフィールド間及びフレーム間のいずれか相関度を判定するときに比べて前記相関度を強いと判定する閾値を大きくする、請求項１〜６のいずれか１項に記載の順次走査変換装置。
【請求項８】
前記補間画素混合生成手段により混合された信号に基づく画像を表示する表示手段をさらに備えた請求項１〜７のいずれか１項に記載の順次走査変換装置。
【請求項９】
復号化手段が、ＧＯＰ（Group Of Pictures）構造による動画像符号化方式により符号化された動画像信号を復号化し、
ＧＯＰ情報出力手段が、前記復号化手段が復号化した前記動画像信号が属していたＧＯＰに関する情報を出力し、
動き検出手段が、前記復号化手段が復号化した前記動画像信号による画素ごとにフィールド間及びフレーム間のいずれかの動きを検出して、静止判定側から動画判定側にわたる動き検出信号を出力し、
静画用補間画素生成手段が、静画用補間画素を生成し、
動画用補間画素生成手段が、動画用補間画素を生成し、
補間画素混合生成手段が、前記動き検出手段が出力した前記動き検出信号が静止判定側に移行するに従い前記静画用補間画素の比率を多くし、前記動き検出手段が出力した前記動き検出信号が動画判定側に移行するに従い前記動画用補間画素の比率を多くして、前記静画用補間画素生成手段が生成した前記静画用補間画素と、前記動画用補間画素生成手段が生成した前記動画用補間画素とを混合し、
前記動き検出手段は、前記ＧＯＰ情報出力手段が出力した前記動画像信号が属していたＧＯＰに関する情報に基づいて、異なるＧＯＰに属していた前記動画像信号による画素のフィールド間及びフレーム間のいずれかの動きを検出するときは、同じＧＯＰに属していた前記動画像信号による画素のフィールド間及びフレーム間のいずれかの動きを検出するときに比べて、より静画寄りに判定する順次走査変換方法。
【発明の詳細な説明】
【技術分野】
【０００１】
本発明は、動き適応型の順次走査変換装置及び順次走査変換方法に関するものである。
【背景技術】
【０００２】
ＭＰＥＧ−２やＭＰＥＧ−４  ＡＶＣ（Ｈ．２６４）を用いた画像符号化及び復号化が行なわれている。例えば、特許文献１では、ＭＰＥＧを用いた画像符号化装置において、１ＧＯＰ前のＩフレーム（ピクチャ）と、現在処理を行うＩフレームとの間で、静止・動領域の判定をマクロブロック毎に行ない、静止領域と判定されたマクロブロックの場合は、１ＧＯＰ前のＩフレームの符号を読み出し、静止領域の符号として符号化を行ない、一方、ＰフレームやＢフレームの場合は、動き補償予測を行なう技術が提案されている。
【特許文献１】特開２０００−２８７２１２号公報
【発明の開示】
【発明が解決しようとする課題】
【０００３】
しかしながら、ＭＰＥＧ−2やＭＰＥＧ−4  ＡＶＣにより符号化された動画像信号を復号化し、順次走査変換する際、静止画であっても画像に変化が生じ、動き検出結果が動判定になり、順次走査変換出力画像に乱れが生じることがある。このような画像の乱れは、特に高い空間周波数成分を持つ画像にて顕著に発生する。このため、ＭＰＥＧを用いた画像において順次走査変換出力画像に乱れが生じることを抑制する技術が望まれている。
【０００４】
本発明は、かかる事情に鑑みてなされたものであり、その目的は、ＭＰＥＧを用いた画像において順次走査変換出力画像に乱れが生じることを抑制することが可能な順次走査変換装置及び順次走査変換方法を提供することにある。
【課題を解決するための手段】
【０００５】
本発明は、ＧＯＰ（Group Of Pictures）構造による動画像符号化方式により符号化された動画像信号を復号化する復号化手段と、復号化手段が復号化した動画像信号が属していたＧＯＰに関する情報を出力するＧＯＰ情報出力手段と、復号化手段が復号化した動画像信号による画素ごとにフィールド間及びフレーム間のいずれかの動きを検出して、静止判定側から動画判定側にわたる動き検出信号を出力する動き検出手段と、静画用補間画素を生成する静画用補間画素生成手段と、動画用補間画素を生成する動画用補間画素生成手段と、動き検出手段が出力した動き検出信号が静止判定側に移行するに従い静画用補間画素の比率を多くし、動き検出手段が出力した動き検出信号が動画判定側に移行するに従い動画用補間画素の比率を多くして、静画用補間画素生成手段が生成した静画用補間画素と、動画用補間画素生成手段が生成した動画用補間画素とを混合する補間画素混合生成手段と、を備え、動き検出手段は、ＧＯＰ情報出力手段が出力した動画像信号が属していたＧＯＰに関する情報に基づいて、異なるＧＯＰに属していた動画像信号による画素のフィールド間及びフレーム間のいずれかの動きを検出するときは、同じＧＯＰに属していた動画像信号による画素のフィールド間及びフレーム間のいずれかの動きを検出するときに比べて、より静画寄りに判定することを特徴とする順次走査変換装置である。
【０００６】
また、本発明は、復号化手段が、ＧＯＰ（Group Of Pictures）構造による動画像符号化方式により符号化された動画像信号を復号化し、ＧＯＰ情報出力手段が、復号化手段が復号化した動画像信号が属していたＧＯＰに関する情報を出力し、動き検出手段が、復号化手段が復号化した動画像信号による画素ごとにフィールド間及びフレーム間のいずれかの動きを検出して、静止判定側から動画判定側にわたる動き検出信号を出力し、静画用補間画素生成手段が、静画用補間画素を生成し、動画用補間画素生成手段が、動画用補間画素を生成し、補間画素混合生成手段が、動き検出手段が出力した動き検出信号が静止判定側に移行するに従い静画用補間画素の比率を多くし、動き検出手段が出力した動き検出信号が動画判定側に移行するに従い動画用補間画素の比率を多くして、静画用補間画素生成手段が生成した静画用補間画素と、動画用補間画素生成手段が生成した動画用補間画素とを混合し、動き検出手段は、ＧＯＰ情報出力手段が出力した動画像信号が属していたＧＯＰに関する情報に基づいて、異なるＧＯＰに属していた動画像信号による画素のフィールド間及びフレーム間のいずれかの動きを検出するときは、同じＧＯＰに属していた動画像信号による画素のフィールド間及びフレーム間のいずれかの動きを検出するときに比べて、より静画寄りに判定する順次走査変換方法である。
【発明の効果】
【０００７】
本発明の順次走査変換装置及び順次走査変換方法によれば、ＭＰＥＧを用いた画像において順次走査変換出力画像に乱れが生じることを抑制することが可能となる。
【発明を実施するための最良の形態】
【０００８】
以下、添付図面を参照しながら本発明の好適な実施の形態について説明する。
【０００９】
（第１実施形態）
図１は、第１実施形態に係る順次走査変換装置の構成を示す図である。図１に示すように、本実施形態の順次走査変換装置１は、復号化部９、フィールド遅延部１０，１１、動き検出部１２、動画用補間画素生成部１５、静画用補間画素生成部１６、補間画素混合生成部１７、及び時系列変換部１８を備えている。
【００１０】
復号化部（復号化手段、ＧＯＰ情報出力手段）９は、ＭＰＥＧ方式により符号化された符号化動画像信号入力Ｓ０を復号化するためのものである。また、復号化部９は、符号化動画像信号入力Ｓ０を復号化した復号動画像後フィールド信号Ｓ１が属していたＧＯＰの変化点に関する情報を出力するためのものである。復号動画像後フィールド信号Ｓ１は、フィールド遅延部１０及び動き検出部１２に出力される。
【００１１】
フィールド遅延部１０は、復号動画像後フィールド信号Ｓ１を１フィールド遅延させる部分である。より具体的には、入力される復号動画像後フィールド信号Ｓ１を１フィールド遅延させて復号動画像現フィールド信号Ｓ２としてフィールド遅延部１１に出力する。復号動画像現フィールド信号Ｓ２は更に動画用補間画素生成部１５及び時系列変換部１８に出力される。
【００１２】
フィールド遅延部１１は、入力される復号動画像現フィールド信号Ｓ２を１フィールド遅延させる部分である。より具体的には、フィールド遅延部１０から出力される復号動画像現フィールド信号Ｓ２を１フィールド遅延させて復号動画像前フィールド信号Ｓ３として動き検出部１２に出力する。復号動画像前フィールド信号Ｓ３は更に静画用補間画素生成部１６に出力される。
【００１３】
動き検出部（動き検出手段）１２は、画素毎に１フレーム間の動きを検出する部分である。動き検出部１２は、復号動画像後フィールド信号Ｓ１及び復号動画像前フィールド信号Ｓ３に基づいて検出した信号を、動き検出信号ＭＤとして補間画素混合生成部１７に出力する。
【００１４】
図２に、動き検出部１２の構成をより具体的に示す。図２に示すように、動き検出部１２は、差分絶対値算出部１２１と動判定部１２２とを備えている。差分絶対値算出部１２１は、復号動画像後フィールド信号Ｓ１と復号動画像前フィールド信号Ｓ３との差分の絶対値を算出するためのものである。復号動画像後フィールド信号Ｓ１と復号動画像前フィールド信号Ｓ３との差分の絶対値は、動判定部１２２に出力される。
【００１５】
動判定部１２２は、差分絶対値算出部１２１が算出した復号動画像後フィールド信号Ｓ１と復号動画像前フィールド信号Ｓ３との差分の絶対値と、復号化部９が出力したＧＯＰ変化点情報出力とに基づいて画素毎に１フレーム間の動きを検出する。なお、動判定部１２２は、１フレーム間の動きではなく１フィールド間の動きを検出するものとしても良い。
【００１６】
図３は、フィールド信号間の差分絶対値と動判定信号との関係を示すグラフ図である。動き検出信号ＭＤは、値が大きいほど動画判定、小さいほど静画判定を示し、図３に示すように、復号動画像後フィールド信号Ｓ１と復号動画像前フィールド信号Ｓ３との差分絶対値｜Ｓ１−Ｓ３｜についての関数であり、０≦動き検出信号ＭＤ≦１の値をとる。
【００１７】
動き検出信号ＭＤは、差分絶対値｜Ｓ１−Ｓ３｜が閾値Ｓｔｈを超えるまでは、動き検出信号ＭＤ＝０である。また、動き検出信号ＭＤは、差分絶対値｜Ｓ１−Ｓ３｜が閾値Ｓｔｈを超えると、勾配Ｇ＝ｄＭＤ／ｄ｜Ｓ１−Ｓ３｜で線形的に増加する。さらに、動き検出信号ＭＤは、差分絶対値｜Ｓ１−Ｓ３｜の増加につれて動き検出信号ＭＤ＝１となると、飽和状態となり、動き検出信号ＭＤ＝１が維持される。
【００１８】
本実施形態では、図４に示すようなＧＯＰ構造において、復号化部９が出力したＧＯＰ変化点情報出力に基づき、異なるＧＯＰに属していた動画像信号による画素のフレーム間の動きを検出するときは、動判定部１２２は、差分絶対値｜Ｓ１−Ｓ３｜に対する閾値Ｓｔｈを大きくするか、あるいは、差分絶対値｜Ｓ１−Ｓ３｜に対する勾配Ｇ＝ｄＭＤ／ｄ｜Ｓ１−Ｓ３｜を小さくする。
【００１９】
図４の例では、ＧＯＰ０に属するＰピクチャ（predictive  coded  picture）であるピクチャＰ２と、ＧＯＰ１に属するＢピクチャ（bidirectionally  predictive  coded  picture）であるピクチャＰ３とは、ＧＯＰ変化点ＣＰ１を間に挟んでいる。また、ＧＯＰ１に属するＰピクチャであるピクチャＰ１７と、ＧＯＰ２に属するＢピクチャであるピクチャＰ１８とは、ＧＯＰ変化点ＣＰ２を間に挟んでいる。したがって、ピクチャＰ２〜Ｐ３あるいはピクチャＰ１７〜Ｐ１８の間の動きを検出するときは、動判定部１２２は、閾値Ｓｔｈを大きくするか、あるいは、勾配Ｇ＝ｄＭＤ／ｄ｜Ｓ１−Ｓ３｜を小さくする。
【００２０】
すなわち、動判定部１２２は、異なるＧＯＰに属していた動画像信号による画素のフィールド間及びフレーム間のいずれかの動きを検出するときは、同じＧＯＰに属していた動画像信号による画素のフィールド間及びフレーム間のいずれかの動きを検出するときに比べて、動きを検出する感度を低くし、より静画寄りに判定する。
【００２１】
この場合、図４に示すように、隣接するＧＯＰに属していた動画像信号による画素のＩピクチャ（intra  coded  picture）間における量子スケール値の差が大きいほど、動判定部１２２は、閾値Ｓｔｈを大きくするか、あるいは、勾配Ｇ＝ｄＭＤ／ｄ｜Ｓ１−Ｓ３｜を小さくし、動きを検出する感度を低くし、より静画寄りに判定するものとしても良い。
【００２２】
図１に戻り、動画用補間画素生成部（動画用補間画素生成手段）１５は、復号動画像現フィールド信号Ｓ２、復号動画像前フィールド信号Ｓ３、及び復号動画像後フィールド信号Ｓ１のいずれかから動画用補間画素を生成する部分である。本実施形態の場合には、動画用補間画素生成部１５は、復号動画像現フィールド信号Ｓ２からフィールド内補間により動画用補間画素を生成する。動画用補間画素生成部１５は、生成した動画用補間画素を補間画素混合生成部１７に出力する。尚、動画用補間画素生成部１５は、動き補償により前後のフィールドも更に用いて動画用補間画素を生成してもよい。
【００２３】
静画用補間画素生成部（静画用補間画素生成手段）１６は、復号動画像前フィールド信号Ｓ３または復号動画像後フィールド信号Ｓ１から静画用補間画素を生成する部分である。本実施形態の場合には、静画用補間画素生成部１６は、補間画素と空間的に同じ位置の復号動画像前フィールド信号Ｓ３の画素を静画用補間画素として補間画素混合生成部１７に出力する。尚、静画用補間画素生成部１６は、復号動画像後フィールド信号Ｓ１を用いてもよく、復号動画像前フィールド信号Ｓ３と復号動画像後フィールド信号Ｓ１との両方を用いてもよい。
【００２４】
補間画素混合生成部（補間画素混合生成手段）１７は、動き検出部１２の出力が静止判定側に移行するに従い静画用補間画素の比率を多くし、動き検出部１２の出力が動画判定側に移行するに従い動画用補間画素の比率を多くして、静画用補間画素と動画用補間画素とを混合する部分である。
【００２５】
上述したように動き検出信号ＭＤの値が大きいほど動画判定、小さいほど静画判定とすると、補間画素混合生成部１７では、下記のような式で動画用補間画素と静画用補間画素を混合する。
【００２６】
補間ライン信号＝動き検出信号ＭＤ×動画用補間画素＋（１−動き検出信号ＭＤ）×静画用補間画素
ここで、動き検出信号ＭＤは上述したように、０≦動き検出信号ＭＤ≦１とする。
【００２７】
時系列変換部１８は、補間画素混合生成部１７から出力される補間ライン信号と、復号動画像現フィールド信号Ｓ２である直接ライン信号とに基づいて、順次走査変換信号を出力する部分である。
【００２８】
本実施形態では、動き検出部１２は、復号化部９が出力したＧＯＰ変化点情報出力に基づいて、異なるＧＯＰに属していた動画像信号による画素のフィールド間及びフレーム間のいずれかの動きを検出するときは、同じＧＯＰに属していた動画像信号による画素のフィールド間及びフレーム間のいずれかの動きを検出するときに比べて、動きを検出する感度を低くし、より静画寄りに判定する。具体的には、動き検出部１２の動判定部１２２は、復号化部９が出力したＧＯＰ変化点情報出力に基づいて、差分絶対値｜Ｓ１−Ｓ３｜に対する閾値Ｓｔｈを大きくするか、あるいは、差分絶対値｜Ｓ１−Ｓ３｜に対する勾配Ｇ＝ｄＭＤ／ｄ｜Ｓ１−Ｓ３｜を小さくする。
【００２９】
従来の順次走査変換装置においては、静止画であっても、ＧＯＰの変化点で画像に変化が生じるために動き検出結果が動判定になり、順次走査変換出力画像に乱れが生じ易かった。一方、本実施形態では、ＧＯＰの変化点における動きを検出する感度を低くし、より静画寄りに判定するため、ＧＯＰの変化点での順次走査変換出力画像の乱れを防止し、良好な順次走査変換画像を得ることができる。
【００３０】
特に、本実施形態では、隣接するＧＯＰに属していた動画像信号による画素のＩピクチャ間における量子スケール値の差が大きいほど、動判定部１２２は、差分絶対値｜Ｓ１−Ｓ３｜に対する閾値Ｓｔｈを大きくするか、あるいは、差分絶対値｜Ｓ１−Ｓ３｜に対する勾配Ｇ＝ｄＭＤ／ｄ｜Ｓ１−Ｓ３｜を小さくし、動きを検出する感度を低くし、より静画寄りに判定するものとできる。そのため、隣接するＧＯＰ間で量子スケール値の差異が大きく、そのままの動きを検出する感度では順次走査変換出力画像に乱れが生じ易い場合であっても、隣接するＧＯＰ間で量子スケール値の差異に応じて動きを検出する感度を低くし、より静画寄りに判定することにより、順次走査変換出力画像の乱れを防止し、良好な順次走査変換画像を得ることができる。
【００３１】
（第２実施形態）
第２実施形態に係る順次走査変換装置について図５を参照しながら説明する。図５に示す順次走査変換装置２は、上述した順次走査変換装置１の構成に加えて、セレクタ１９，２１、及びプルダウン信号検出部（プルダウン信号検出手段）２０を備えている。本実施形態の順次走査変換装置２は、映画フィルム画像等に基づいて生成された毎秒２４コマの映像信号を、２−３プルダウン方式により変換して毎秒３０フレーム（毎秒６０フィールド）の飛び越し走査方式の映像信号としたプルダウン信号を検出して、順次走査変換を行うためのものである。
【００３２】
図７は、飛び越し走査の２−３プルダウン信号が処理される様子を示す。図７（ｂ）は、入力される２−３プルダウン信号である復号動画像後フィールド信号Ｓ１を示している。Ａｅは映像フィルム等の１コマＡを元にして生成された偶数（ｅｖｅｎ）フィールド、Ａｏは映画フィルム等のコマＡを元にして生成された奇数（ｏｄｄ）フィールドを示している。Ｂｅは映画フィルム等のコマＢを元にして生成された偶数フィールド、Ｂｏは映画フィルム等のコマＢを元にして生成された奇数フィールドを示している。Ｃｅ、Ｃｏ…についても同様である。図７（ｃ）は、図７（ｂ）の信号を１フィールド遅延した１フィールド遅延した復号動画像現フィールド信号Ｓ２を示している。図７（ｄ）は、図７（ｃ）の信号を更に１フィールド遅延した復号動画像前フィールド信号Ｓ３を示している。図７（ａ）は、復号動画像後フィールド信号Ｓ１と復号動画像前フィールド信号Ｓ３とのフレーム間の相関を示し、図７（ｅ）は、これらの信号同士を重ね合わせた合成画像信号を示している。
【００３３】
図５に戻り、プルダウン信号検出部２０は、復号動画像後フィールド信号Ｓ１、復号動画像前フィールド信号Ｓ３及びＧＯＰ変化点情報出力から、復号動画像後フィールド信号Ｓ１、復号動画像前フィールド信号Ｓ３がプルダウン信号であるか否かの検出を行ない、プルダウン信号検出出力とペアフィールド選択出力を生成する。
【００３４】
セレクタ１９はペアフィールド選択出力に応じて、復号動画像現フィールド信号Ｓ２とペアになるフィールドとして、復号動画像後フィールド信号Ｓ１と復号動画像前フィールド信号Ｓ３のどちらか一方を選択し、ペアフィールド選択出力としてセレクタ２１に出力する。セレクタ２１は、プルダウン信号検出出力がプルダウン信号を示す場合にはペアフィールド信号を、プルダウン信号検出出力がプルダウン信号を示さない場合には補間ライン信号を選択し、選択した信号を補間信号として出力する。時系列変換部１８は、補間信号と直接信号である復号動画像現フィールド信号Ｓ２とを順次走査順に整列（合成）して順次走査変換出力を生成する。
【００３５】
図６は、図５のプルダウン信号検出部の構成を示す図である。復号動画像現フィールド信号Ｓ１は、垂直ＬＰＦ２０１を通過した後、フレーム間差分絶対値算出部２０３に入力される。復号動画像前フィールド信号Ｓ３は、垂直ＬＰＦ２０２を通過した後、フレーム間差分絶対値算出部２０３に入力される。
【００３６】
フレーム間差分絶対値算出部２０３は、復号動画像現フィールド信号Ｓ１と復号動画像前フィールド信号Ｓ３間の差分絶対値を画素単位または小領域単位に算出する。この差分絶対値は前記２つの入力信号間のフレーム間相関を求めるために使用される。
【００３７】
閾値設定部２１０は、ＧＯＰ変化点情報出力に基づいて、ＧＯＰ変化点情報出力が異なるＧＯＰに属していた動画像信号を示すときは、ＧＯＰ変化点情報出力が同じＧＯＰに属していた動画像信号を示すときに比べて、閾値Ａｆｔｈ及び閾値Ｂｆｔｈを大きく設定する。
【００３８】
フレーム間差分絶対値算出部２０３の出力信号はフレーム間比較部２０４に入力され、閾値設定部２１０が設定した閾値Ａｆｔｈと小領域毎（または画素毎）に比較される。この結果は累積加算器２０５により１フィールド期間累積加算され、フレーム間累積加算値比較部２０６に入力される。フレーム間累積加算値比較部２０６は、累積加算器２０５からの入力と、閾値設定部２１０が設定した閾値Ｂｆｔｈとをフィールド周期毎に比較し、その比較結果をフレーム間相関判定部２０７に出力する。フレーム間相関判定部２０７は前記比較結果から、図７（ａ）に示すようなフレーム間相関の“強”、“弱”を判定する。
【００３９】
パターン検出部２０８は、複数フィールド、例えば連続５フィールドのフィールド間相関結果が、図７に示すような２−３プルダウン信号や２−２プルダウン信号などプルダウン信号特有のパターンと一致しているかを検出する。プルダウン信号判定部２０９は、パターン検出部２０８によるフレーム間のパターンの検出結果が、所定フィールド数の期間においてプルダウン信号条件を満たすか否かに応じて、入力信号が２−３プルダウン信号や２−２プルダウン信号などのプルダウン信号であるかを判定する。
【００４０】
プルダウン信号であるか否かの判定結果は、プルダウン信号判定部２０９からプルダウン信号検出信号として出力される。装置に入力されているフィールド信号がプルダウン信号である場合には、復号動画像現フィールド信号Ｓ２とペアになるフィールドが、復号動画像前フィールド信号Ｓ１であるか復号動画像後フィールド信号Ｓ３であるかを示すペアフィールド選択信号が出力される。なお、本実施形態においては、入力信号がプルダウン信号であるか否かの判定に、フレーム間ではなくフィールド間の相関を用いても良い。
【００４１】
本実施形態では、プルダウン信号検出部２０は、復号化部９が出力したＧＯＰ変化点情報出力に基づいて、異なるＧＯＰに属していた動画像信号によるフレーム間の相関度を判定するときは、同じＧＯＰに属していた動画像信号によるフレーム間の相関度を判定するときに比べて相関度を強いと判定する閾値Ａｆｔｈ及び閾値Ｂｆｔｈを大きくする。このため、ＧＯＰの変化点におけるフレーム間の相関を検出する感度を低くしたため、ＧＯＰの変化点での順次走査変換出力画像の乱れを防止し、良好な順次走査変換画像を得ることができる。
【００４２】
図８に、本実施形態に係る順次走査変換装置を用いたテレビジョン装置（画像表示装置）の一例であるブロック図を示す。図８におけるテレビジョン装置では、アンテナ素子から放送信号を供給されこれを復調して映像音声信号を出力するチューナ８１と、この映像音声信号が供給され外部入力とのスイッチングを行うＡＶスイッチ回路８２と、映像信号が供給されると所定の映像信号処理を施してＹ信号と色差信号とに変換して出力する映像信号処理部８３とを有する。更に映像音声信号から音声信号を分離する音声抽出部８８と、ここからの音声信号を適宜増幅してスピーカ９０に供給するアンプ部８９とを有している。
【００４３】
ここで、映像信号処理部８３から映像信号を供給される順次走査変換処理部８４が、上述した順次走査変換装置１〜２を適用することが可能である。ノンインターレース化された映像信号は、ＲＧＢプロセッサー８５によりＲＧＢ信号に分離され、ＣＲＴドライブ８６により適宜、電力増幅されてＣＲＴ８７により映像として表示される。
【００４４】
以上、本発明の実施の形態について説明したが、本発明は、上記実施形態に限定されるものではなく種々の変形が可能である。
【図面の簡単な説明】
【００４５】
【図１】第１実施形態に係る順次走査変換装置の構成を示す図である。
【図２】図１の動き検出部の構成を示す図である。
【図３】フィールド信号間の差分絶対値と動判定信号との関係を示すグラフ図である。
【図４】ＧＯＰ構造におけるＧＯＰの変化点を示す図である。
【図５】第２実施形態に係る順次走査変換装置の構成を示す図である。
【図６】図５のプルダウン信号検出部の構成を示す図である。
【図７】飛び越し走査の２−３プルダウン信号が処理される様子を示す図である。
【図８】実施形態に係る順次走査変換装置を用いた画像表示装置の構成を示す図である。
【符号の説明】
【００４６】
１，２…順次走査変換装置、９…復号化部、１０，１１…フィールド遅延部、１２…動き検出部、１５…動画用補間画素生成部、１６…静画用補間画素生成部、１７…補間画素混合生成部、１８…時系列変換部、１９，２１…セレクタ、２０…プルダウン信号検出部、８１…チューナ、８２…ＡＶスイッチ回路、８３…映像信号処理部、８４…順次走査変換部、８５…ＲＧＢプロセッサー、８６…ＣＲＴドライブ、８７…ＣＲＴ、８８…音声抽出部、８９…アンプ、９０…スピーカ、１２１…差分絶対値算出部、１２２…動判定部、２０１，２０２…垂直ＬＰＦ、２０３…フレーム間差分絶対値算出部、２０４…フレーム間比較部、２０５…累積加算部、２０６…フレーム間累積加算値比較部、２０７…フレーム間相関判定部、２０８…パターン検出部、２０９…プルダウン信号判定部、２１０…閾値設定部。
【図１】
0004364283.tif 000002
【図２】
0004364283.tif 000003
【図３】
0004364283.tif 000004
【図４】
0004364283.tif 000005
【図５】
0004364283.tif 000006
【図６】
0004364283.tif 000007
【図７】
0004364283.tif 000008
【図８】
0004364283.tif 000009